(57)【特許請求の範囲】
【請求項１】
入力画像データに応じた電圧を表示部における液晶層に印加することにより当該入力画像データの表わす画像を表示する液晶表示装置であって、
前記入力画像データに応じた電圧を前記液晶層に印加するための駆動部と、
前記液晶層に印加された電圧の極性の偏り度合いを算出する算出部と、
前記算出部の算出結果に基づいて前記液晶層に印加される電圧の極性の偏りが低減されるように前記駆動部を制御する表示制御部とを備え、
前記表示制御部は、
前記算出部の算出結果に基づいて前記入力画像データに従う画面更新時以外に前記表示部における前記液晶層に偏りを低減する極性の電圧を印加するように前記駆動部に指示し、
前記算出部の算出結果が所定値を超え、かつ前記入力画像データに従う画面更新時から所定フレームを経過したと判断した場合に、前記表示部における偏りを低減する極性の電圧を前記液晶層に印加するように前記駆動部に指示する、液晶表示装置。
【請求項２】
入力画像データに応じた電圧を表示部における液晶層に印加することにより当該入力画像データの表わす画像を表示する液晶表示装置であって、
前記入力画像データに応じた電圧を前記液晶層に印加するための駆動部と、
前記液晶層に印加された電圧の極性の偏り度合いを算出する算出部と、
前記算出部の算出結果に基づいて前記液晶層に印加される電圧の極性の偏りが低減されるように前記駆動部を制御する表示制御部とを備え、
前記表示制御部は、
前記算出部の算出結果に基づいて前記入力画像データに従う画面更新時以外に前記表示部における前記液晶層に偏りを低減する極性の電圧を印加するように前記駆動部に指示し、
前記算出部の算出結果が第１の所定値を超える場合には、前記入力画像データに従う画面更新時から所定フレーム後に前記表示部における偏りを低減する極性の電圧を前記液晶層に印加するように前記駆動部に指示し、
前記算出部の算出結果が第２の所定値を超える場合には、前記入力画像データに従う画面更新時の直後のフレームに前記表示部における偏りを低減する極性の電圧を前記液晶層に印加するように前記駆動部に指示する、液晶表示装置。
【請求項３】
入力画像データに応じた電圧を表示部における液晶層に印加することにより当該入力画像データの表わす画像を表示する液晶表示装置の制御方法であって、
前記入力画像データに応じた電圧を前記液晶層に印加するステップと、
前記液晶層に印加された電圧の極性の偏り度合いを算出するステップと、
前記算出するステップによる算出結果に基づいて前記液晶層に印加される電圧の極性の偏りが低減される電圧を印加するタイミングを制御するステップとを備え、
前記タイミングを制御するステップは、
前記算出結果に基づいて前記入力画像データに従う画面更新時以外に前記表示部における前記液晶層に偏りを低減する極性の電圧を印加するステップと、
前記算出結果が所定値を超え、かつ前記入力画像データに従う画面更新時から所定フレームを経過したと判断したと場合に、前記表示部における偏りを低減する極性の電圧を前記液晶層に印加するステップとを含む、液晶表示装置の制御方法。
【請求項４】
入力画像データに応じた電圧を表示部における液晶層に印加することにより当該入力画像データの表わす画像を表示する液晶表示装置の制御方法であって、
前記入力画像データに応じた電圧を前記液晶層に印加するステップと、
前記液晶層に印加された電圧の極性の偏り度合いを算出するステップと、
前記算出するステップによる算出結果に基づいて前記液晶層に印加される電圧の極性の偏りが低減される電圧を印加するタイミングを制御するステップとを備え、
前記タイミングを制御するステップは、
前記算出結果に基づいて前記入力画像データに従う画面更新時以外に前記表示部における前記液晶層に偏りを低減する極性の電圧を印加するステップと、
前記算出結果が第１の所定値を超える場合には、前記入力画像データに従う画面更新時から所定フレーム後に前記表示部における偏りを低減する極性の電圧を前記液晶層に印加するステップと、
前記算出結果が第２の所定値を超える場合には、前記入力画像データに従う画面更新時の直後のフレームに前記表示部における偏りを低減する極性の電圧を前記液晶層に印加するステップとを含む、液晶表示装置の制御方法。
【発明の詳細な説明】
【技術分野】
【０００１】
本発明は、液晶表示装置および液晶表示装置の制御方法に関する。
【背景技術】
【０００２】
近年、半導体技術の発達により、表示装置のリフレッシュレートを大きくすることが可能となってきている。特に、酸化物半導体として、Ｉｎ−Ｇａ−Ｚｎ系酸化物（ＩＧＺＯ）を用いた液晶パネル（ＩＧＺＯ液晶パネルとも称する）においては、通常では数十ｍｓオーダーのリフレッシュレートが必要になるところ、数百ｍｓ、あるいはそれ以上のオーダーでリフレッシュすれば、問題なく表示できるようになってきている。
【０００３】
これは、言い換えれば、画像の更新間隔がリフレッシュレートより小さい場合は、リフレッシュレートによる一定間隔でのリフレッシュは必要なく、画像更新時のリフレッシュだけを行えばよいということになる。これによりリフレッシュを減らすことで、消費電力を削減することが可能である。
【０００４】
このＩＧＺＯ液晶パネルのような、リフレッシュレートを大きくできる表示装置に関して、表示する画像に応じて、リフレッシュレートを変更する技術が知られている（特許文献１）。具体的には、中間諧調の画素数が少なければ、リフレッシュレートを例えば１Ｈｚにすることで、使用者の眼精疲労を抑制する技術が示されている。
【先行技術文献】
【特許文献】
【０００５】
【特許文献１】特開２０１４−１３０３３７号公報
【発明の概要】
【発明が解決しようとする課題】
【０００６】
しかしながら、上記特許文献に示される発明では、リフレッシュレートが表示すべき画像により変化することから、画像の更新タイミングによっては、液晶パネル駆動時の半導体素子の極性が一方に偏ることがある。
【０００７】
リフレッシュ動作とは、半導体素子に貯められた電荷が抜ける前に、再度、最初のレベルまで電荷を貯め直すことであり、通常、半導体素子の電気的極性は、リフレッシュ毎に反転している。したがって、リフレッシュレートが固定であれば、極性は常に同じ時間で反転するため偏りは発生しないが、画像によりリフレッシュレートが変化してしまうと、極性の均衡が保てなくなる。
【０００８】
また、画像の更新間隔がリフレッシュレートより少しだけ長いケースでは、リフレッシュ動作の直後に、再度、画像更新のためのリフレッシュが行われ、結果として、ほとんど一方の極性ばかりとなる可能性がある。
【０００９】
極性が偏ったまま使用し続けると、リフレッシュ時の画面のチラつきの原因になったり、半導体素子の寿命を早めたりすることにも繋がることになる。
【００１０】
本発明は、上記のような問題を解決するためになされたものであって、極性の偏りを防止することが可能な液晶表示装置および液晶表示装置の制御方法を提供することを目的とする。
【課題を解決するための手段】
【００１１】
本発明のある局面に従う液晶表示装置は、入力画像データに応じた電圧を表示部における液晶層に印加することにより当該入力画像データの表わす画像を表示する液晶表示装置であって、入力画像データに応じた電圧を前記液晶層に印加するための駆動部と、液晶層に印加された電圧の極性の偏り度合いを算出する算出部と、算出部の算出結果に基づいて前記液晶層に印加される電圧の極性の偏りが低減されるように前記駆動部を制御する表示制御部とを備える。
【発明の効果】
【００１２】
極性の偏りを防止することが可能である。
【図面の簡単な説明】
【００１３】
【図１】液晶パネルの駆動による極性の偏りを説明する図である。
【図２】本発明の第１実施形態に係る液晶表示装置２の構成を示すブロック図である。
【図３】液晶表示装置２に含まれる表示制御回路２００の構成を示すブロック図である。
【図４】極性の偏りを判断するテーブルを説明する図である。
【図５】偏り度合算出部２２０の処理を説明するフロー図である。
【図６】第１実施形態に基づくタイミング制御部２３０における反転リフレッシュ処理の実行を指示するフロー図である。
【図７】第１実施形態に基づくリフレッシュ動作を実行する場合のタイミングチャートを説明する図である。
【図８】第２実施形態に基づくタイミング制御部２３０における反転リフレッシュ処理の実行を指示するフロー図である。
【図９】第２実施形態に基づくリフレッシュ動作を実行する場合のタイミングチャートを説明する図である。
【図１０】第３実施形態に基づくタイミング制御部２３０における反転リフレッシュ処理の実行を指示するフロー図である。
【発明を実施するための形態】
【００１４】
以下、本発明の実施の形態について、図面を参照しながら詳細に説明する。なお、図中同一または相当部分には同一符号を付してその説明は繰り返さない。
【００１５】
本明細書では、リフレッシュレートによる通常のリフレッシュ駆動を「通常リフレッシュ」、極性反転のためのリフレッシュ駆動を「反転リフレッシュ」と呼ぶものとする。
【００１６】
＜０．基礎検討＞
本発明の実施形態を説明する前に上記課題を解決するべく本願発明者によりなされた基礎検討について説明する。
【００１７】
図１は、液晶パネルの駆動による極性の偏りを説明する図である。
図１（Ａ）に示されるように、同期信号である垂直同期信号（ＶＳＹＮＣ）が一定周期で生成される。また、所定タイミングで表示更新レートの入力画像データが入力される。
【００１８】
そして、液晶駆動部は、表示更新要求に従って液晶を駆動する。
従来の液晶パネルの駆動の場合には、画面の更新間隔によらず、液晶は一定の周期で駆動されている。
【００１９】
したがって、累積極性としては、正極性に印加した後、負極性に印加する方式が連続的に繰り返されるため、極性に偏りは生じない。
【００２０】
一方で、画面更新レートに合わせて液晶を駆動する場合には、画面更新要求と同時に液晶パネルの駆動が行われるため、画面更新要求のタイミングに従って、極性に少しずつ偏りが生じる場合がある。
【００２１】
図１（Ｂ）には、通常リフレッシュの駆動により極性の偏りが生じる場合が示されている。一例として、リフレッシュレートは１２Ｈｚ、画面更新レートは１０Ｈｚである場合について説明するが、特にこの数値に限定するものではない。
【００２２】
同期信号である垂直同期信号（ＶＳＹＮＣ）が一定周期で生成される。また、所定タイミングで表示更新レートの入力画像データが入力される。
【００２３】
そして、液晶駆動部は、表示更新要求に従って液晶を駆動する。
本例においては、リフレッシュレートに基づいて画面更新前にリフレッシュする場合が示されており、リフレッシュレートのタイミングにより極性の偏りが生じている場合が示されている。
【００２４】
本実施形態では、このような極性の偏りを検出した場合に、極性の偏りを解消させるための反転リフレッシュを挿入する方式について説明する。
【００２５】
＜１．第１実施形態＞
図２は、本発明の第１実施形態に係る液晶表示装置２の構成を示すブロック図である。
【００２６】
図２に示すように、液晶表示装置２は、液晶表示パネル１０、およびバックライトユニット３０を備えている。
【００２７】
液晶表示パネル１０には、表示部１００、表示制御回路２００、信号線駆動回路３００、および走査線駆動回路４００が設けられている。なお、信号線駆動回路３００および走査線駆動回路４００の双方またはいずれか一方は表示制御回路２００内に設けられていても良い。また、信号線駆動回路３００および走査線駆動回路４００の双方またはいずれか一方は表示部１００と一体的に形成されていても良い。液晶表示装置２の外部には、主としてＣＰＵにより構成されるホスト１（システム）が設けられている。
【００２８】
表示部１００には、複数本（ｍ本）の信号線ＳＬ１〜ＳＬｍと、複数本（ｎ本）の走査線ＧＬ１〜ＧＬｎと、これらｍ本の信号線ＳＬ１〜ＳＬｍとｎ本の走査線ＧＬ１〜ＧＬｎとの交差点のそれぞれに対応して設けられた複数個（ｍ×ｎ個）の画素形成部１１０とが形成されている。
【００２９】
以下、信号線ＳＬ１〜ＳＬｍを総称して信号線ＳＬと称する。また、走査線ＧＬ１〜ＧＬｎを総称して走査線ＧＬと称する。ｍ×ｎ個の画素形成部１１０はマトリクス状に形成されている。各画素形成部１１０は、対応する交差点を通過する走査線ＧＬに制御端子としてのゲート端子が接続されると共に、当該交差点を通過する信号線ＳＬに第１導通端子としてのソース端子が接続されたＴＦＴ１１１と、当該ＴＦＴ１１１の第２導通端子としてのドレイン端子に接続された画素電極１１２と、ｍ×ｎ個の画素形成部１１０に共通的に設けられた共通電極１１３と、画素電極１１２と共通電極１１３との間に挟持され、複数個の画素形成部１１０に共通的に設けられた液晶層とにより構成される。画素電極１１２と共通電極１１３により形成される液晶容量Ｃｃｌは、画素容量を構成する。
【００３０】
なお、典型的には、画素容量に確実に電圧を保持すべく液晶容量Ｃｃｌに並列に補助容量が設けられている。このため、画素容量は液晶容量Ｃｃｌおよび補助容量により構成されているのが一般的であるが、本例においては、画素容量は液晶容量Ｃｃｌのみにより構成されるとして説明する。
【００３１】
ＴＦＴ１１１としては、例えば酸化物半導体をチャネル層に用いたＴＦＴ（以下「酸化物ＴＦＴ」という。）が用いられる。より詳細には、ＴＦＴ１１１のチャネル層は、インジウム（Ｉｎ）、ガリウム（Ｇａ）、亜鉛（Ｚｎ）、および酸素（Ｏ）を主成分とするＩｎＧａＺｎＯｘにより形成されている。以下では、ＩｎＧａＺｎＯｘをチャネル層に用いたＴＦＴのことを「ＩＧＺＯ−ＴＦＴ」という。ＩＧＺＯ−ＴＦＴは、多結晶シリコンや非晶質シリコンなどをチャネル層に用いたシリコン系のＴＦＴに比べてオフリーク電流が非常に小さい。このため、液晶容量Ｃｃｌに書き込まれた信号電圧は長期間保持される。なお、ＩｎＧａＺｎＯｘ以外の酸化物半導体として、例えばインジウム、ガリウム、亜鉛、銅（Ｃｕ）、シリコン（Ｓｉ）、錫（Ｓｎ）、アルミニウム（Ａｌ）、カルシウム（Ｃａ）、ゲルマニウム（Ｇｅ）、および鉛（Ｐｂ）のうち少なくとも１つを含む酸化物半導体をチャネル層に用いた場合でも同様の効果が得られる。また、ＴＦＴ１１１として酸化物ＴＦＴを用いるのは一例であり、これに代えて多結晶シリコンや非晶質シリコンなどのシリコン系のＴＦＴを用いても良い。
【００３２】
表示制御回路２００は、典型的にはＬＳＩ（Large Scale Integration）によって実現される。表示制御回路２００は、ホスト１から画像データを含むデータＤＡＴを受信し、これに応じて信号線用制御信号ＳＣＴ、走査線用制御信号ＧＣＴ、および共通電位Ｖｃｏｍを生成し出力する。
【００３３】
信号線用制御信号ＳＣＴは、信号線駆動回路３００に与えられる。走査線用制御信号ＧＣＴは、走査線駆動回路４００に与えられる。共通電位Ｖｃｏｍは共通電極１１３に与えられる。
【００３４】
信号線駆動回路３００は、信号線用制御信号ＳＣＴに応じて、信号線ＳＬに与えるべき駆動用画像信号を生成し出力する。信号線用制御信号ＳＣＴには、例えばＲＧＢデータＲＧＢＤに対応するデジタル画像信号、ソーススタートパルス信号、ソースクロック信号、およびラッチストローブ信号などが含まれる。
【００３５】
信号線駆動回路３００は、ソーススタートパルス信号、ソースクロック信号、およびラッチストローブ信号に応じて、その内部の図示しないシフトレジスタおよびサンプリングラッチ回路などを動作させ、デジタル画像信号に基づいて得られたデジタル信号を図示しないＤＡ変換回路でアナログ信号に変換することにより駆動用画像信号を生成する。
【００３６】
走査線駆動回路４００は、走査線用制御信号ＧＣＴに応じて、アクティブな走査信号の走査線ＧＬへの印加を所定周期で繰り返す。走査線用制御信号ＧＣＴには、例えばゲートクロック信号およびゲートスタートパルス信号が含まれる。走査線駆動回路４００は、ゲートクロック信号およびゲートスタートパルス信号に応じて、その内部の図示しないシフトレジスタなどを動作させ、走査信号を生成する。
【００３７】
バックライトユニット３０は、液晶表示パネル１０の背面側に設けられ、液晶表示パネル１０の背面にバックライト光を照射する。バックライトユニット３０は、典型的には複数のＬＥＤ（Light Emitting Diode）を含んでいる。バックライトユニット３０は、表示制御回路２００により制御されるものであっても良いし、その他の方法により制御されるものであっても良い。なお、液晶表示パネル１０が反射型である場合には、バックライトユニット３０は設ける必要がない。
【００３８】
以上のようにして、信号線ＳＬに駆動用画像信号が印加され、走査線ＧＬに走査信号が印加され、バックライトユニット３０が駆動されることにより、ホスト１から送信された画像データに応じた画面が液晶表示パネル１０の表示部１００に表示される。
【００３９】
図３は、液晶表示装置２に含まれる表示制御回路２００の構成を示すブロック図である。
【００４０】
図３に示されるように、表示制御回路２００は、インターフェース部２１０、偏り度合算出部２２０、タイミング制御部２３０、ラッチ回路２４０、内蔵電源回路２５０、信号線用制御信号出力部２６０、および、走査線用制御信号出力部２７０を備えている。
【００４１】
なお、上述のように、信号線駆動回路３００および走査線駆動回路４００の双方またはいずれか一方が表示制御回路２００内に設けられていても良い。
【００４２】
インターフェース部２１０は、データＤＡＴを受信して各部に出力する。具体的には、画像データであるＲＧＢデータＲＧＢＤと、同期信号である垂直同期信号ＶＳＹＮＣ、水平同期信号ＨＳＹＮＣ、データイネーブル信号ＤＥ、およびクロック信号ＣＬＫ等を出力する。
【００４３】
インターフェース部２１０は、ホスト１からデータＤＡＴを受信すると、当該データＤＡＴに含まれるＲＧＢデータＲＧＢＤｉｎ（入力画像データ）をラッチ回路２４０に出力し、垂直同期信号ＶＳＹＮＣ、水平同期信号ＨＳＹＮＣ、データイネーブル信号ＤＥ、およびクロック信号ＣＬＫをタイミング制御部２３０に出力する。
【００４４】
タイミング制御部２３０は、垂直同期信号ＶＳＹＮＣ、水平同期信号ＨＳＹＮＣ、データイネーブル信号ＤＥ、およびクロック信号ＣＬＫ等に基づいて、ラッチ回路２４０、信号線用制御信号出力部２６０、および走査線用制御信号出力部２７０を制御する制御信号を出力する。また、タイミング制御部２３０は、内蔵電源回路２５０に対して共通電位Ｖｃｏｍ等を設定するための電圧設定信号ＶＳを出力する。
【００４５】
ラッチ回路２４０は、タイミング制御部２３０の制御に基づいて、更新されたデータＤＡＴに含まれるＲＧＢデータＲＧＢＤоｕｔを信号線用制御信号出力部２６０に出力する。また、ラッチ回路２４０でＲＧＢＤｏｕｔを保持することにより、表示部１００に現在表示されている画像と同じ画像を表示することにより、画面のリフレッシュを必要なタイミングで行うことができる。
【００４６】
内蔵電源回路２５０は、電圧設定信号ＶＳに基づいて、信号線用制御信号出力部２６０および走査線用制御信号出力部２７０で用いるための電源電圧および共通電位Ｖｃｏｍを生成し出力する。
【００４７】
信号線用制御信号出力部２６０は、ラッチ回路２４０からのＲＧＢデータＲＧＢＤоｕｔ、タイミング制御部２３０からの制御信号、および内蔵電源回路２５０からの電源電圧に基づいて信号線用制御信号ＳＣＴを生成し、これを信号線駆動回路３００に出力する。
【００４８】
走査線用制御信号出力部２７０は、タイミング制御部２３０からの制御信号および内蔵電源回路２５０からの電源電圧に基づいて走査線用制御信号ＧＣＴを生成し、これを走査線駆動回路４００に出力する。
【００４９】
偏り度合算出部２２０は、ＲＧＢデータＲＧＢＤｉｎおよび垂直同期信号ＶＳＹＮＣ等に基づいて画素形成部１１０の液晶層に印加された電圧の極性の偏り度合いを算出する。
【００５０】
具体的には、偏り度合算出部２２０は、電圧の極性の偏り度合をカウントするカウンタを有する。フレーム毎の電圧の印加として画素形成部１１０の画素電極１１２に正極性の電圧が印加された場合には「＋」にカウントアップし、負極性の電圧が印加された場合には「−」にカウントダウンする。
【００５１】
液晶表示パネル１０の駆動時に極性が反転するため、初回の駆動時の極性を一例として「＋」と定義すれば、以後は、液晶表示パネルの駆動毎に「−」、「＋」、「−」と反転する。
【００５２】
また、ある駆動からその次の駆動までの期間は、先の駆動での極性が保持されるため、その保持された時間、あるいは、フレーム数を、累積極性値に対して、「＋」ならばカウントアップし、「−」ならばカウントダウンする。
【００５３】
そして、液晶表示パネル１０の駆動時の極性とカウンタのカウント値（累積極性値）を用いることにより、その駆動が極性の偏りを増加させる方向に向かうか、減少させる方向に向かうかを判断することが可能である。
【００５４】
駆動時の極性が「＋」で累積極性値も「＋」であれば増加、駆動時の極性が「−」で累積極性値も「−」であれば増加であるので、この場合に、極性が偏ってきていると判断することが可能である。また、ここで、累積極性値には閾値を導入してもよい。
【００５５】
図４は、極性の偏りを判断するテーブルを説明する図である。
図４に示されるように、たとえば、駆動時の極性が「＋」のときに、累積極性値が「１からＮ−１」であれば少し偏っている、累積極性値が「Ｎ以上」であれば大きく偏っていると判断することが可能である。
【００５６】
一方、駆動時の極性が「−」のときに、累積極性値が「−１から−（Ｎ−１）」であれば少し偏っている、累積極性値が「−Ｎ未満」であれば大きく偏っていると判断することが可能である。
【００５７】
図５は、偏り度合算出部２２０の処理を説明するフロー図である。
図５に示されるように、まず、駆動極性を確認する（ステップＳ２）。駆動極性として、初回の駆動時の極性を正（「＋」）と定義して、正負（「＋」、「−」）いずれの駆動であるかを判断する。画面更新レートの立ち上がり（液晶表示パネルの駆動時）を検出した場合には、前回の駆動極性の反転であると判断する。たとえば、前回が正極性であれば今回は負極性となる。なお、本例においては、画面更新レートの立ち上がりに際してタイミング制御部２３０は、偏り度合算出部２２０に当該指示を出力するものとする。
【００５８】
そして、次に、正極性か否かを判断する（ステップＳ４）。
ステップＳ４において、正極性であると判断した場合（ステップＳ４においてＹＥＳ）には、カウントアップする（ステップＳ６）。カウンタ値の値をインクリメントする。
【００５９】
一方、ステップＳ４において、正極性でないと判断した場合（ステップＳ４においてＮＯ）には、カウントダウンする（ステップＳ８）。カウンタ値の値をデクリメントする。
【００６０】
そして、次フレームか否かを判断する（ステップＳ１０）。具体的には、垂直同期信号ＶＳＹＮＣの立ち上がりを検出したか否かで判断することが可能である。
【００６１】
ステップＳ１０において、次フレームでないと判断した場合（ステップＳ１０においてＮＯ）には当該状態を維持する。
【００６２】
ステップＳ１０において、次フレームであると判断した場合（ステップＳ１０においてＹＥＳ）には、ステップＳ２に戻り、上記処理を繰り返す。
【００６３】
上記処理を繰り返すことによりカウンタ値の値が更新される。
図６は、第１実施形態に基づくタイミング制御部２３０における反転リフレッシュ処理の実行を指示するフロー図である。
【００６４】
図６に示されるように、まず、カウンタ値を確認する（ステップＳ１２）。具体的には、タイミング制御部２３０は、偏り度合算出部２２０のカウンタのカウンタ値を確認する。
【００６５】
次に、絶対値が所定値を超えるか否かを判断する（ステップＳ１４）。本例においては、所定値として「１０」に設定する。
【００６６】
ステップＳ１４において、絶対値が所定値を超えると判断した場合（ステップＳ１４においてＹＥＳ）には、表示更新から所定数フレーム経過したかどうかを判断する（ステップＳ１６）。本例においては、所定数フレームとして一例として４フレームに設定する。
【００６７】
ステップＳ１６において、表示更新から所定数フレーム経過したと判断した場合（ステップＳ１６においてＹＥＳ）には、反転リフレッシュを指示する（ステップＳ１８）。具体的には、タイミング制御部２３０は、ラッチ回路、信号線用制御信号出力部２６０および走査線用制御信号出力部２７０に指示して液晶表示パネル１０に対してリフレッシュ動作を実行する。なお、極性の偏りを抑制する電圧を印加する反転リフレッシュを実行する。
【００６８】
そして、次フレームか否かを判断する（ステップＳ１９）。
ステップＳ１９において、次フレームでないと判断した場合（ステップＳ１９においてＮＯ）には当該状態を維持する。
【００６９】
ステップＳ１９において、次フレームであると判断した場合（ステップＳ１９においてＹＥＳ）には、ステップＳ１２に戻り、上記処理を繰り返す。
【００７０】
ステップＳ１４において、絶対値が所定値を超えると判断した場合（ステップＳ１４においてＮＯ）には、ステップＳ１９に進む。
【００７１】
また、ステップＳ１６において、表示更新から所定数フレーム経過していないと判断した場合（ステップＳ１６においてＮＯ）には、ステップＳ１９に進む。
【００７２】
したがって、カウンタ値の絶対値が所定値を超えない場合には、反転リフレッシュ指示を実行しない。また、表示更新から所定数フレーム経過していないと判断した場合にも反転リフレッシュ指示を実行しない。
【００７３】
図７は、第１実施形態に基づくリフレッシュ動作を実行する場合のタイミングチャートを説明する図である。
【００７４】
図７に示されるようにカウンタ値「−１０」に到達した後、次のフレームでカウンタ値が「−１１」となって絶対値が所定値を超える場合が示されている。
【００７５】
次に、２フレーム後に、画面更新レートにより正極性が印加されてカウンタ値が「＋」側に遷移する。
【００７６】
そして、次の２フレーム後に、画面更新レートにより負極性が印加されてカウンタ値が「−１１」となって絶対値が所定値を超える場合となる。
【００７７】
そして、所定数フレーム（４フレーム）後に反転リフレッシュ（正極性）が指示された場合が示されている。これによりカウンタ値は「＋」側に遷移し、反転リフレッシュ無しの場合と比較して負極側への偏りを抑制することが可能となる。
【００７８】
通常、ユーザがなんらかの操作をすると、しばらくの間画面が更新され続け、そして、次にユーザに別の操作を要求する画面が表示されると、画面更新は停止する。
【００７９】
本発明で、画面更新時、極性偏りを検出した場合に、所定時間後に反転リフレッシュを挿入するのは、少なくとも、一定時間画面更新が行われなかった、すなわち、画面更新が止まったと想定される段階で、極性の偏りを元に戻す方式としている。画面更新か続いている状態で反転リフレッシュを挿入すると、状況によっては、何度も反転リフレッシュを挿入する必要があり消費電力が増大する可能性もあるからである。
【００８０】
本実施の形態では、極性の偏りを検出すると逆極性での動作が行われるように導くため、極性の偏りが抑えられるので、チラつきの防止やパネルの寿命を延ばす等の効果が得られる。
【００８１】
＜２．第２実施形態＞
上記の第１実施形態においては、画面更新時、極性偏りを検出した場合に、所定時間後に反転リフレッシュを挿入する方式について説明したが、早急に偏りを解消することが望ましい場合も考えられる。
【００８２】
第２実施形態においては、画面更新時、極性偏りを検出した場合の偏りを解消する別の方式について説明する。
【００８３】
図８は、第２実施形態に基づくタイミング制御部２３０における反転リフレッシュ処理の実行を指示するフロー図である。
【００８４】
図８に示されるように、まず、カウンタ値を確認する（ステップＳ１２）。具体的には、タイミング制御部２３０は、偏り度合算出部２２０のカウンタのカウンタ値を確認する。
【００８５】
次に、絶対値が所定値を超えるか否かを判断する（ステップＳ１４）。
ステップＳ１４において、絶対値が所定値を超えると判断した場合（ステップＳ１４においてＹＥＳ）には、表示更新の次のフレームかどうかを判断する（ステップＳ１５）。
【００８６】
ステップＳ１５において、表示更新の次のフレームであると判断した場合（ステップＳ１５においてＹＥＳ）には、反転リフレッシュを指示する（ステップＳ１８）。
【００８７】
そして、次フレームか否かを判断する（ステップＳ１９）。
ステップＳ１９において、次フレームでないと判断した場合（ステップＳ１９においてＮＯ）には当該状態を維持する。
【００８８】
ステップＳ１９において、次フレームであると判断した場合（ステップＳ１９においてＹＥＳ）には、ステップＳ１２に戻り、上記処理を繰り返す。
【００８９】
ステップＳ１４において、絶対値が所定値を超えないと判断した場合（ステップＳ１４においてＮＯ）には、ステップＳ１９に進む。
【００９０】
また、ステップＳ１６において、表示更新の次のフレームでないと判断した場合（ステップＳ１５においてＮＯ）には、ステップＳ１９に進む。
【００９１】
したがって、絶対値が所定値を超えない場合には、反転リフレッシュ指示を実行しない。また、表示更新の次のフレームでないと判断した場合にも反転リフレッシュ指示を実行しない。
【００９２】
図９は、第２実施形態に基づくリフレッシュ動作を実行する場合のタイミングチャートを説明する図である。
【００９３】
図９に示されるようにカウンタ値「−１２」に到達した後、次のフレームでカウンタ値が「−１１」となり、さらに、次のフレームで画面更新レートにより負極性が印加されてカウンタ値が「−１２」に到達した場合が示されている。
【００９４】
当該場合に、絶対値が所定値を超える場合が示されている。
次の１フレーム後に、反転リフレッシュ（正極性）が指示された場合が示されている。これによりカウンタ値は「＋」側に遷移し、カウンタ値が「−１１」となる。そして、２フレーム後に画面更新レートにより負極性が印加されてカウンタ値が「−１１」となる。絶対値が所定値を超える場合であるため、次の１フレーム後に反転リフレッシュ（正極性）が指示された場合が示されている。
【００９５】
当該処理を繰り返すことにより、反転リフレッシュ無しの場合と比較して負極側への偏りを抑制することが可能となる。
【００９６】
本実施の形態では、極性の偏りを検出すると逆極性での動作が行われるように導くため、極性の偏りが抑えられるので、チラつきの防止やパネルの寿命を延ばす等の効果が得られる。
【００９７】
＜３．第３実施形態＞
第１実施の形態と第２実施の形態とを組み合わせて実施する形態について説明する。
【００９８】
図１０は、第３実施形態に基づくタイミング制御部２３０における反転リフレッシュ処理の実行を指示するフロー図である。
【００９９】
図１０に示されるように、カウンタ値を確認する（ステップＳ２０）。具体的には、タイミング制御部２３０は、偏り度合算出部２２０のカウンタのカウンタ値を確認する。
【０１００】
次に、絶対値が第１の所定値を超えるか否かを判断する（ステップＳ２２）。
ステップＳ２２において、絶対値が第１の所定値を超えると判断した場合（ステップＳ２２においてＹＥＳ）には、表示更新から所定数フレーム経過したかどうかを判断する（ステップＳ２４）。
【０１０１】
ステップＳ２４において、表示更新から所定数フレーム経過したと判断した場合（ステップＳ２４においてＹＥＳ）には、反転リフレッシュを指示する（ステップＳ２６）。
【０１０２】
そして、次フレームか否かを判断する（ステップＳ２７）。
ステップＳ２７において、次フレームでないと判断した場合（ステップＳ２７においてＮＯ）には当該状態を維持する。
【０１０３】
ステップＳ２７において、次フレームであると判断した場合（ステップＳ２７においてＹＥＳ）には、ステップＳ２８に進み、カウンタ値を確認する（ステップＳ２８）。具体的には、タイミング制御部２３０は、偏り度合算出部２２０のカウンタのカウンタ値を確認する。
【０１０４】
一方、ステップＳ２２において、絶対値が所定値を超えると判断した場合（ステップＳ２２においてＮＯ）には、ステップＳ２７に進む。
【０１０５】
また、ステップＳ２４において、表示更新から所定数フレーム経過していないと判断した場合（ステップＳ２４においてＮＯ）には、ステップＳ２７に進む。
【０１０６】
したがって、カウンタ値の絶対値が第１の所定値を超えない場合には、反転リフレッシュ指示を実行しない。また、表示更新から所定数フレーム経過していないと判断した場合にも反転リフレッシュ指示を実行しない。
【０１０７】
次に、絶対値が第２の所定値を超えるか否かを判断する（ステップＳ３０）。第２の所定値は第１の所定値よりも大きい。
【０１０８】
ステップＳ３０において、絶対値が第２の所定値を超えると判断した場合（ステップＳ３０においてＹＥＳ）には、表示更新の次のフレームかどうかを判断する（ステップＳ３２）。
【０１０９】
ステップＳ３２において、表示更新の次のフレームであると判断した場合（ステップＳ３２においてＹＥＳ）には、反転リフレッシュを指示する（ステップＳ３４）。
【０１１０】
そして、次フレームか否かを判断する（ステップＳ３８）。
ステップＳ３８において、次フレームでないと判断した場合（ステップＳ３８においてＮＯ）には当該状態を維持する。
【０１１１】
ステップＳ３８において、次フレームであると判断した場合（ステップＳ３８においてＹＥＳ）には、ステップＳ２０に戻り、上記処理を繰り返す。
【０１１２】
ステップＳ３０において、絶対値が第２の所定値を超えないと判断した場合（ステップＳ３０においてＮＯ）には、絶対値が第１の所定値を超えるか否かを判断する（ステップＳ３６）。
【０１１３】
そして、ステップＳ３６において、絶対値が第１の所定値を超えると判断した場合には、ステップＳ２７に戻る。
【０１１４】
一方、ステップＳ３６において、絶対値が第１の所定値を超えないと判断した場合には、ステップＳ３８に進む。そして、次フレームか否かを判断し、次フレームであると判断した場合には、ステップＳ２０に戻り、上記処理を繰り返す。
【０１１５】
したがって、絶対値が第２の所定値を超えない場合には、反転リフレッシュ指示を実行しない。また、表示更新の次のフレームでないと判断した場合にも反転リフレッシュ指示を実行しない。
【０１１６】
すなわち、第３実施形態は、カウンタ値の絶対値が第１の所定値を超えた場合であって、表示更新から所定数フレーム経過した場合に反転リフレッシュ指示を実行するとともに、カウンタ値の絶対値が第２の所定値を超えた場合には、表示更新フレームの直後のフレームに反転リフレッシュ指示を実行する方式である。
【０１１７】
したがって、カウンタ値の絶対値が大きくなり偏りの度合が大きくなった場合に第２実施形態に従う反転リフレッシュ指示を実行し、偏りの度合が小さい場合に第１実施形態に従う反転リフレッシュ指示を実行する。
【０１１８】
当該方式により、反転リフレッシュ指示を偏り度合に合わせて効率的に切り替えることにより効率的に偏りを抑制するとともに、消費電力を抑制することが可能である。
【０１１９】
＜４．その他の実施の形態＞
上記の実施の形態においては、液晶表示パネル１０が、表示部１００を駆動する駆動回路を制御するための表示制御回路２００を有する構成について説明したが、当該構成に限られず、ホスト１（システム）が表示制御回路２００を有する構成とすることも可能である。すなわち、ホスト１（システム）から直接、駆動回路に対して表示部１００を駆動する指示を出力する構成とすることも可能である。
【０１２０】
なお、コンピュータを機能させて、上述のフローチャートで説明したような制御を実行させるプログラムを提供することもできる。プログラムは、コンピュータのオペレーティングシステム（ＯＳ）の一部として提供されるプログラムモジュールのうち、必要なモジュールを所定の配列で所定のタイミングで呼出して処理を実行させるものでもよい。
【０１２１】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１２２】
１  ホスト、２  液晶表示装置、１０  液晶表示パネル、３０  バックライトユニット、１００  表示部、１１０  画素形成部、１１２  画素電極、１１３  共通電極、２００  表示制御回路、２１０  インターフェース部、２２０  偏り度合算出部、２３０  タイミング制御部、２４０  ラッチ回路、２５０  内蔵電源回路、２６０  信号線用制御信号出力部、２７０  走査線用制御信号出力部、３００  信号線駆動回路、４００  走査線駆動回路。
【図１】
0006512789.tif 000002
【図２】
0006512789.tif 000003
【図３】
0006512789.tif 000004
【図４】
0006512789.tif 000005
【図５】
0006512789.tif 000006
【図６】
0006512789.tif 000007
【図７】
0006512789.tif 000008
【図８】
0006512789.tif 000009
【図９】
0006512789.tif 000010
【図１０】
0006512789.tif 000011